(57)【特許請求の範囲】
【請求項１】
映像・音響再生機器と、映像・音響再生機器によって再生された映像・音響を出力する映像・音響出力機器とを備えた映像・音響再生システムにおいて、
映像・音響再生機器は、映像・音響再生機器から映像・音響出力機器に供給される動作モード切替信号であって、映像・音響再生機器によって再生された映像・音響を映像・音響出力機器に送出して映像・音響出力機器から出力させるための動作モード切替信号に、映像・音響出力機器の映像特性および／または音響特性を制御するための映像・音響特性制御信号が重畳する手段を備えており、
映像・音響出力機器は、映像・音響再生機器から供給される動作モード切替信号に重畳されている映像・音響特性制御信号に基づいて、映像・音響出力機器の映像特性および／または音響特性を自動的に制御する手段を備えていることを特徴とする映像・音響再生システム。
【請求項２】
映像・音響特性制御信号は、映像・音響再生機器側で設定された映像特性および／または音響特性の設定値であることを特徴とする請求項１に記載の映像・音響再生システム。
【請求項３】
映像・音響再生機器がＤＶＤプレーヤであり、映像・音響出力機器がＴＶであり、映像・音響特性制御信号が、ＤＶＤプレーヤで再生されるディスクから得られたディスク判別情報であり、
ＴＶは、ディスク判別情報に関連して映像特性および音響特性の設定値を記憶するテーブル、ＤＶＤプレーヤから送られてきたディスク判別情報と同じディスク判別情報が格納されているか否かを判別する手段、ＤＶＤプレーヤから送られてきたディスク判別情報と同じディスク判別情報がテーブルに格納されていない場合には、当該ディスクの再生時においてＴＶ側で設定された映像特性および音響特性の設定値を当該ディスクのディスク判別情報に関連して上記テーブルに格納する手段、およびＤＶＤプレーヤから送られてきたディスク判別情報と同じディスク判別情報がテーブルに格納されている場合には、テーブルから当該ディスク判別情報に対応する映像特性および音響特性の設定値を読み出して、ＴＶの映像特性および音響特性の設定値を読み出した設定値に自動的に設定する手段を備えていることを特徴とする請求項１に記載の映像・音響再生システム。
【請求項４】
ディスク判別情報が、ＤＩＳＣ  ＴＯＴＡＬ時間、ＴＲＡＣＫ数、ＴＩＴＬＥ数を含んでいることを特徴とする請求項３に記載の映像・音響再生システム。
【請求項５】
音響再生機器と、音響再生機器によって再生された音響を出力する音響出力機器とを備えた音響再生システムにおいて、
音響再生機器は、音響再生機器から音響出力機器に供給される動作モード切替信号であって、音響再生機器によって再生された音響を音響出力機器に送出して音響出力機器から出力させるための動作モード切替信号に、音響出力機器の音響特性を制御するための音響特性制御信号が重畳する手段を備えており、
音響出力機器は、音響再生機器から供給される動作モード切替信号に重畳されている音響特性制御信号に基づいて、音響出力機器の音響特性を自動的に制御する手段を備えていることを特徴とする音響再生システム。
【請求項６】
音響特性制御信号は、音響再生機器側で設定された音響特性の設定値であることを特徴とする請求項５に記載の音響再生システム。
【発明の詳細な説明】
【０００１】
【発明の属する技術分野】
この発明は、映像・音響再生システムおよび音響再生システムに関する。
【０００２】
【従来の技術】
従来から、ＤＶＤプレーヤ、オーディオ機器、ＴＶ等の映像・音響再生機器として、ＳＣＡＲＴ端子が搭載されているものがある。
【０００３】
図３に示すように、ＳＣＡＲＴ端子のＮＯ．１、ＮＯ．２、ＮＯ．３、ＮＯ．６、ＮＯ．１９、ＮＯ２０は映像音声入出力端子として用いられ、ＮＯ．８は、機器Ａと機器Ｂとの間で、映像・音声出力モードと映像・音声入力モードとを切り替えるために用いられる。
【０００４】
ところで、図４に示すように、ＤＶＤプレーヤ１００とＴＶ２００とを、ＳＣＡＲＴ端子１０１、２０１を介して接続した場合には、ＳＣＡＲＴ端子のＮｏ．８端子（機能ＳＷ）は、ＤＶＤプレーヤ１００側からＴＶ２００側の動作モードであるＴＶ放送モードとＴＶ外部入力モードとを切り替えるために使用される。
【０００５】
ＳＣＡＲＴ端子のＮｏ．８端子（機能ＳＷ）にＤＶＤプレーヤ１００側から供給される動作モード切替信号として、直流電圧信号が用いられる。動作モード切替信号がＬレベル（０〜２Ｖ）の場合には、切替スイッチ２０２、２０３がＬ側に接続され、ＴＶ２００の動作モードはＴＶ放送モードとなる。動作モード切替信号がＨレベル（９．５Ｖ〜１２Ｖ、以下、９．５Ｖと記載する）の場合には、切替スイッチ２０２、２０３がＨ側に接続され、ＴＶ２００の動作モードはＴＶ外部入力モードとなる。
【０００６】
【発明が解決しようとする課題】
ところで、従来においては、ＤＶＤプレーヤ１００では、ＤＶＤプレーヤ１００によってどのようなＤＩＳＣを再生しても、映像・音響特性は、ＤＶＤプレーヤ１００に接続されるＴＶ等の出力機器側で個別に設定・変更する必要があった。
【０００７】
この発明は、映像・音響再生機器側から映像・音響出力機器に与えられる動作モード切替信号を利用して、映像・音響再生機器側から映像・音響出力機器側の映像・音響特性を制御できるようにした映像・音響再生システムを提供することを目的とする。
【０００８】
また、この発明は、音響再生機器側から音響出力機器に与えられる動作モード切替信号を利用して、音響再生機器側から音響出力機器側の音響特性を制御できるようにした音響再生システムを提供することを目的とする。
【０００９】
【課題を解決するための手段】
この発明による映像・音響再生システムは、映像・音響再生機器と、映像・音響再生機器によって再生された映像・音響を出力する映像・音響出力機器とを備えた映像・音響再生システムにおいて、映像・音響再生機器は、映像・音響再生機器から映像・音響出力機器に供給される動作モード切替信号であって、映像・音響再生機器によって再生された映像・音響を映像・音響出力機器に送出して映像・音響出力機器から出力させるための動作モード切替信号に、映像・音響出力機器の映像特性および／または音響特性を制御するための映像・音響特性制御信号が重畳する手段を備えており、映像・音響出力機器は、映像・音響再生機器から供給される動作モード切替信号に重畳されている映像・音響特性制御信号に基づいて、映像・音響出力機器の映像特性および／または音響特性を自動的に制御する手段を備えていることを特徴とする。
【００１０】
映像・音響特性制御信号は、たとえば、映像・音響再生機器側で設定された映像特性および／または音響特性の設定値である。
【００１１】
映像・音響再生機器がＤＶＤプレーヤであり、映像・音響出力機器がＴＶである場合には、映像・音響特性制御信号としては、たとえば、ＤＶＤプレーヤで再生されるディスクから得られたディスク判別情報が用いられる。ディスク判別情報は、たとえば、ＤＩＳＣ  ＴＯＴＡＬ時間、ＴＲＡＣＫ数、ＴＩＴＬＥ数を含んでいる。
【００１２】
この場合、ＴＶは、ディスク判別情報に関連して映像特性および音響特性の設定値を記憶するテーブル、ＤＶＤプレーヤから送られてきたディスク判別情報と同じディスク判別情報が格納されているか否かを判別する手段、ＤＶＤプレーヤから送られてきたディスク判別情報と同じディスク判別情報がテーブルに格納されていない場合には、当該ディスクの再生時においてＴＶ側で設定された映像特性および音響特性の設定値を当該ディスクのディスク判別情報に関連して上記テーブルに格納する手段、およびＤＶＤプレーヤから送られてきたディスク判別情報と同じディスク判別情報がテーブルに格納されている場合には、テーブルから当該ディスク判別情報に対応する映像特性および音響特性の設定値を読み出して、ＴＶの映像特性および音響特性の設定値を読み出した設定値に自動的に設定する手段を備えている。
【００１３】
この発明による音響再生システムは、音響再生機器と、音響再生機器によって再生された音響を出力する音響出力機器とを備えた音響再生システムにおいて、音響再生機器は、音響再生機器から音響出力機器に供給される動作モード切替信号であって、音響再生機器によって再生された音響を音響出力機器に送出して音響出力機器から出力させるための動作モード切替信号に、音響出力機器の音響特性を制御するための音響特性制御信号が重畳する手段を備えており、音響出力機器は、音響再生機器から供給される動作モード切替信号に重畳されている音響特性制御信号に基づいて、音響出力機器の音響特性を自動的に制御する手段を備えていることを特徴とする。
【００１４】
音響特性制御信号は、たとえば、音響再生機器側で設定された音響特性の設定値である。
【００１５】
【発明の実施の形態】
以下、図面を参照して、この発明の実施の形態について説明する。
【００１６】
図１は、ＤＶＤプレーヤ１００とＴＶ２００とをＳＣＡＲＴ端子１０１、２０１を介して接続した映像・音響再生システムにこの発明を適用した場合の構成例を示している。
【００１７】
ＳＣＡＲＴ端子１０１、２０１のＮＯ．８端子どうしは、ケーブルを介して接続されている。上述したように、８端子（機能ＳＷ）は、ＤＶＤプレーヤ１００側からＴＶ２００側の動作モードであるＴＶ放送モードとＴＶ外部入力モードとを切り替えるために使用される。
【００１８】
ＳＣＡＲＴ端子のＮｏ．８端子（機能ＳＷ）にＤＶＤプレーヤ１００側から供給される動作モード切替信号として、直流電圧信号が用いられる。動作モード切替信号がＬレベル（０〜２Ｖ）の場合には、ＴＶ２００の動作モードはＴＶ放送モードとなり、動作モード切替信号がＨレベル（９．５Ｖ）の場合には、ＴＶ２００の動作モードはＴＶ外部入力モードとなる。
【００１９】
この実施の形態では、ＤＶＤプレーヤ１００は、再生を行なっているディスクからＤＩＳＣ  ＴＯＴＡＬ時間、ＴＲＡＣＫ、ＴＩＴＬＥ数などからなるディスク判別情報を読み取り、そのディスク判別情報（映像・音響特性制御信号）を動作モード切替信号に重畳して、ＴＶ２００側に送る。
【００２０】
ＴＶ２００は、受信したディスク判別情報と同じディスク判別情報がメモリ内のディスク判別情報−映像・音響特性テーブルに格納されているか否かを判別し、格納されてないければ、メモリ内のディスク判別情報−映像・音響特性テーブルに格納する。そして、そのディスク再生中にＴＶ２００側に対してユーザが設定した映像特性および音響特性の設定値を、ディスク判別情報−映像・音響特性テーブルの当該ディスクのディスク判別情報に関連して格納する。
【００２１】
なお、音響特性とは、サラウンド・プリセットサウンド・ＴＯＮＥコントロール・ＢＡＳＳ効果などで表される特性をいい、映像特性とは、画質モード・アスペクト比の設定等で表される特性をいう。
【００２２】
受信したディスク判別情報と同じディスク判別情報がメモリ内のディスク判別情報−映像・音響特性テーブルに格納されている場合には、つまり、過去において、当該ディスクが再生され、そのときに設定された映像特性および音響特性の設定値がディスク判別情報−映像・音響特性テーブルに格納されている場合には、ディスク判別情報−映像・音響特性テーブルから対応する映像特性および音響特性の設定値を読み出して、ＴＶ２００側の映像特性および音響特性の設定値を読み出した値に自動設定する。
【００２３】
このように映像特性および音響特性の設定値を自動設定した場合においても、そのディスク再生中にＴＶ２００側に対してユーザが映像特性または音響特性の設定値を変更した場合には、ディスク判別情報−映像・音響特性テーブルの当該ディスクのディスク判別情報に対応する映像特性または音響特性の設定値を変更された値に更新する。
【００２４】
以下、図１に基づいて、より具体的に説明する。
【００２５】
ＤＶＤプレーヤ１００のマイコン１１１は、電源オン時または再生動作開始時に、動作モード切り替え信号ａをＨレベル（９．５Ｖ）にする。また、ＤＶＤプレーヤ１００のマイコン１１１は、再生動作開始時に、ＤＩＳＣ  ＴＯＴＡＬ時間、ＴＲＡＣＫ、ＴＩＴＬＥ数などからなるディスク判別情報を判別し、ディスク判別情報を表すパルス信号ｂを出力する。
【００２６】
ディスク判別情報を表すパルス信号ｂがＨレベルのときには、第１スイッチングトランジスタ１１２および第２スイッチングトランジスタ１１３が共にオンとなり、コンパレータ１１４の第１入力端子（＋）に１２Ｖの電圧が印加される。コンパレータ１１４の第２入力端子（−）には、動作モード切り替え信号ａによって９．５Ｖの電圧が印加されている。コンパレータ１１４は、第１入力端子（＋）への入力電圧が第２入力端子（−）への入力電圧より大きい場合に、第１入力端子（＋）の入力電圧を出力し、第１入力端子（＋）への入力電圧が第２入力端子（−）への入力電圧より小さい場合に、０Ｖを出力する。
【００２７】
したがって、ディスク判別情報を表すパルス信号ｂがＨレベルのときには、コンパレータ１１４の出力電圧は１２Ｖとなる。したがって、コンパレータ１１４の出力電圧と、動作モード切り替え信号ａに基づく電圧とが供給されているＳＣＡＲＴ端子１０１のＮＯ．８端子の電圧は、コンパレータ１１４によって付与されている電圧１２Ｖとなる。
【００２８】
一方、ディスク判別情報を表すパルス信号ｂがＬレベルのときには、第１スイッチングトランジスタ１１２および第２スイッチングトランジスタ１１３が共にオフとなり、コンパレータ１１４の第１入力端子（＋）には電圧が印加されなくなる。このため、コンパレータ１１４の出力電圧は０Ｖとなる。この結果、ＳＣＡＲＴ端子１０１のＮＯ．８端子の電圧値は、動作モード切り替え信号ａによって付与される電圧９．５Ｖとなる。
【００２９】
つまり、ＤＶＤプレーヤ１００のＳＣＡＲＴ端子１０１のＮＯ．８端子には、図２に示すように、動作モード切り替え信号ａに、ディスク判別情報を表すパルス信号ｂが重畳された信号（以下、制御信号ｃという）が供給される。
【００３０】
ＤＶＤプレーヤ１００のＳＣＡＲＴ端子１０１のＮＯ．８端子に供給された制御信号ｃは、ケーブルを介してＴＶ２００のＳＣＡＲＴ端子２０１のＮＯ．８端子に供給される。
【００３１】
ＴＶ２００のＳＣＡＲＴ端子２０１のＮＯ．８端子に供給された制御信号ｃは、動作モード切替信号として所定の動作モード切替回路に送られるとともに、コンパレータ２１１の第１入力端子（＋）に送られる。コンパレータ２１１の第２入力端子（−）には、９．５Ｖの電圧が印加されている。コンパレータ２１１は、第１入力端子（＋）への入力電圧が第２入力端子（−）への入力電圧より大きい場合に、第１入力端子（＋）の入力電圧を出力し、第１入力端子（＋）への入力電圧が第２入力端子（−）への入力電圧より小さい場合に、０Ｖを出力する。
【００３２】
したがって、制御信号ｃの電圧が１２Ｖのときには、コンパレータ２１１の出力電圧は１２Ｖとなり、制御信号の電圧が９．５Ｖのときには、コンパレータ２１１の出力電圧は０Ｖとなる。コンパレータ２１１の出力電圧が１２Ｖのときには、スイッチングトランジスタ２１２がオンとなり、コンパレータ２１１の出力電圧が０Ｖのときには、スイッチングトランジスタ２１２がオフとなる。したがって、スイッチングトランジスタ２１２からは、ディスク判別情報を表すパルス信号ｂと同形のパルス信号ｄが出力される。
【００３３】
スイッチングトランジスタ２１２から出力される、ディスク判別情報を表すパルス信号ｂと同形のパルス信号ｄは、ＴＶ２００内のマイコン２１３に送られる。マイコン２１３は、ディスク判別情報−映像・音響特性テーブルを記憶するメモリ２１４を備えている。
【００３４】
マイコン２１３は、受信したディスク判別情報を表すパルス信号ｂと同形のパルス信号ｄに基づいて、ディスク判別情報を解読し、解読したディスク判別情報と同じディスク判別情報がメモリ２１４内のディスク判別情報−映像・音響特性テーブルに格納されているか否かを判別する。
【００３５】
解読したディスク判別情報と同じディスク判別情報がディスク判別情報−映像・音響特性テーブルに格納されていなければ、ディスク判別情報−映像・音響特性テーブルに格納する。そして、そのディスク再生中にＴＶ２００側に対してユーザが設定した映像特性および音響特性の設定値を、ディスク判別情報−映像・音響特性テーブルの当該ディスクのディスク判別情報に関連して格納する。
【００３６】
解読したディスク判別情報と同じディスク判別情報がディスク判別情報−映像・音響特性テーブルに格納されている場合には、ディスク判別情報−映像・音響特性テーブルから対応する映像特性および音響特性の設定値を読み出して、ＴＶ２００側の映像特性および音響特性の設定値を読み出した値に自動設定する。したがって、この場合には、図２に示すように、映像・音響特性モードが、モードＡからモードＢに変化する。
【００３７】
上記実施の形態によれば、過去において再生されたことのあるディスクを再生した場合には、ＴＶ側の映像特性および音響特性の設定値が、同ディスクの過去の再生時においてユーザがＴＶに対して設定した映像特性および音響特性の設定値に、自動的に設定されるようになる。
【００３８】
なお、上記実施の形態では、動作モード切替信号にディスク判別情報を重畳してＴＶ２００に送信することにより、ＴＶ２００側の映像特性および音響特性を自動的に設定しているが、動作モード切替信号に、ＤＶＤプレーヤ側で設定した映像特性および音響特性の設定値を重畳してＴＶ２００に送信することにより、ＴＶ２００側の映像特性および音響特性を自動的に設定するようにしてもよい。
【００３９】
【発明の効果】
この発明によれば、映像・音響再生機器側から映像・音響出力機器に与えられる動作モード切替信号を利用して、映像・音響再生機器側から映像・音響出力機器側の映像・音響特性を制御できるようになる。
【００４０】
また、この発明によれば、音響再生機器側から音響出力機器に与えられる動作モード切替信号を利用して、音響再生機器側から音響出力機器側の音響特性を制御できるようになる。
【図面の簡単な説明】
【図１】映像・音響再生システムの構成を示す模式図である。
【図２】動作モード切替信号およびそれに重畳されたディスク判別情報を示すタイムチャートである。
【図３】  ＳＣＡＲＴ端子の各端子機能を示す模式図である。
【図４】  従来の映像・音響再生システムの構成を示す模式図である。
【符号の説明】
１００  ＤＶＤプレーヤ
１０１  ＳＣＡＲＴ端子
１１１  マイコン
１１２、１１３  スイッチングトランジスタ
１１４  コンパレータ
２００  ＴＶ
２０１  ＳＣＡＲＴ端子
２１１  コンパレータ
２１２  スイッチングトランジスタ
２１３  マイコン
２１４  メモリ
【図１】
0003889571.tif 000002
【図２】
0003889571.tif 000003
【図３】
0003889571.tif 000004
【図４】
0003889571.tif 000005